【手続補正書】
【提出日】令和2年10月12日(2020.10.12)
【手続補正１】
【補正対象書類名】特許請求の範囲
【補正対象項目名】全文
【補正方法】変更
【補正の内容】
【特許請求の範囲】
【請求項１】
スペーサー、及び柔軟な熱硬化性ポリマースペーサー本体を生成する方法であって、伝統的なエネルギー集約型押出し、熱硬化、及び熱ベークプロセスを使用することなく、一方の成分が乾燥剤粉末を有し他方の成分が硬化用の触媒である２成分ポリマーを使用することによる、スペーサー及び方法。
【請求項２】
前記ポリマーが、ポリウレタンを更に含む、請求項１に記載の発明。
【請求項３】
ポリウレタン材料が、
１種又は複数のジ−又はポリイソシアネートと１種又は複数のジ−又はポリオールとの反応生成物であって、１種又は複数のジ−又はポリイソシアネートの量対１種又は複数のジ−又はポリオールの量の比が、１種又は複数のジ−又はポリイソシアネートと１種又は複数のジ−又はポリオールとを合わせた重量に基づいて、１：３から１：４の範囲である反応生成物と、
乾燥剤と、
任意選択で、１種若しくは複数の可塑剤、１種若しくは複数のＵＶ吸収剤及び／若しくは遮断剤、１種若しくは複数の接着促進剤、１種若しくは複数の顔料、又はそれらの組合せと
を更に含む、請求項２に記載の発明。
【請求項４】
２成分熱硬化性ポリマーが、混合され、波形シート材料の防湿材ウェブ上に直接流し込まれる、請求項１に記載の発明。
【請求項５】
２成分熱硬化性ポリマーが、混合され、非金属多層防湿材ウェブ上に直接流し込まれる、請求項１に記載の発明。
【請求項６】
前記防湿材ウェブの側縁が折り返されて、硬化前に一定の所望の厚さのレベルまで充填する、混合されたポリマー材料を含有するためのリップ付き縁部を形成する、請求項４又は５に記載の発明。
【請求項７】
連続キャスト材料は、上方からのモジュール式放射加熱器具の追加により最終硬化が助けられる、請求項４、５又は６に記載の発明。
【請求項８】
乾燥されたスペーサー材料の硬化された連続ウェブが、少なくとも５ｍｍから５０ｍｍの幅に調節可能なスペーサー幅である、スタティックナイフを備えた切断ブロックに進入する、請求項４、５、６又は７に記載の発明。
【請求項９】
前記切断ブロックが独立した２つの組のナイフを有し、１つの組を、スペーサー切断及び新しいサイズへの寸法決定用のスペーサーウェブに導入することができ、それとともに他の組のナイフが移動され、それによって、コンベア又は生成ラインを停止させることなく、スペーサー幅形成の連続的変化を可能とする、請求項８に記載の発明。
【請求項１０】
柔軟なスペーサーが、顧客ガラス製造業者に対する真空包装用のスプール上に均等に巻かれ又はコイル状にされており、製造業者は次いで、スペーサーがスプールからはずれるときに、且つ絶縁ガラスユニットを製造するための機械又はツールによるガラス表面への適用の直前に、スペーサー側のアクリル系又はブチル系の感圧接着剤の自己の選択物をスロットダイ押出し又はラミネートすることができ、これには、出荷又は貯蔵における接着剤損傷、及びしばしば製造を遮断し又は停止させる可能性のある保護ライナーの必要性又はコストを有しないという追加の利点が伴う、請求項８又は９に記載の発明。
【請求項１１】
間隔を空けて半透明パネルを組み立て、絶縁パネルアセンブリを形成するための、絶縁スペーサーを製造するためのシステムであって、
押出し物を形成するように構成された押出し機と、
前記押出し物を受容するための波形防湿材を形成するための防湿材波形形成ステーションと、
１つ又は複数のスペーサーを形成するために防湿材及び押出し物を１つ又は複数の細片に切断するように構成された切断ステーションと
を含む、システム。
【請求項１２】
前記切断ステーションが、それを通って延びる切断経路を含み、少なくとも第１の切断ヘッドが、前記防湿材及び押出し物を１つ又は複数の細片に切断するように前記切断経路に沿って位置決めされる、請求項１１に記載のシステム。
【請求項１３】
前記防湿材及び押出し物が前記切断経路に沿って移動するときに、第１の切断ヘッドが前記防湿材及び押出し物を切断するよう構成された第１の位置と、前記防湿材及び押出し物が前記切断経路に沿って移動するときに、前記第１の切断ヘッドが前記防湿材及び押出し物を切断しない第２の位置とを含む、請求項１２に記載のシステム。
【請求項１４】
前記切断ステーションが、前記防湿材及び押出し物を１つ又は複数の細片に切断するための第２の切断ヘッドを更に含む、請求項１３に記載のシステム。
【請求項１５】
前記第２の切断ヘッドが、前記防湿材及び押出し物を１つ又は複数の細片に切断することができる位置と、前記第２の切断ヘッドが前記防湿材及び押出し物を１つ又は複数の細片に切断しない別の位置との間で調節可能である、請求項１４に記載のシステム。
【請求項１６】
前記第１の切断ヘッドが、少なくとも１つの切断ブレードを含む、請求項１２に記載のシステム。
【請求項１７】
半透明パネルを間隔を空けて組み立て、絶縁パネルアセンブリを形成するための、絶縁スペーサーを製造する方法であって、
乾燥剤材料を含む２成分熱硬化性ポリマーを含む押出し物を、防湿材上に押し出す工程と、
防湿材及び押出し物を、押出し物の少なくとも１つの細片に切断する工程と
を含む、方法。
【請求項１８】
前記防湿材及び押出し物を切断する工程が、前記防湿材及び押出し物を、その中に配置された複数の切断ヘッドを有するハウジングを含むカッターを通して案内する工程を含む、請求項１７に記載の方法。
【請求項１９】
前記複数の切断ヘッドのそれぞれが、前記ハウジングに対して第１又は第２の位置のいずれかにあり、前記第１の位置にある切断ヘッドが、前記防湿材及び押出し物から少なくとも１つの細片を切断するように構成され、前記第２の位置にある切断ヘッドが、前記防湿材及び押出し物から細片を切断しない、請求項１８に記載の方法。
【請求項２０】
前記複数の切断ヘッドのうち第１の切断ヘッドが、前記第１の位置にあって、前記防湿材及び押出し物から少なくとも１つの細片を切断するように構成され、前記複数の切断ヘッドのうち第２の切断ヘッドが前記第２の位置にある、請求項１９に記載の方法。
【請求項２１】
前記複数の切断ヘッドのうち前記第１の切断ヘッドを前記第１の位置から前記第２の位置に移動させる工程と、
前記複数の切断ヘッドのうち前記第２の切断ヘッドを、前記第２の位置から前記第１の位置まで移動させて、前記複数の切断ヘッドのうち前記第１の切断ヘッドによって切断された少なくとも１つの細片とは異なる少なくとも１つの細片を切断する工程と
を更に含む、請求項２０に記載の方法。
【請求項２２】
半透明パネルを間隔を空けて組み立て且つ絶縁パネルアセンブリを形成するために、押出し物を切断するためのカッターであって、
前記押出し物がそこに沿って移動する切断経路に対して、第１の位置と第２の位置との間で調節可能な第１の切断ヘッドであって、前記第１の位置は、前記押出し物が前記切断経路に沿って移動するときに前記第１の切断ヘッドにより少なくとも前記押出し物が切断されるように構成され、前記第２の位置は、前記押出し物が前記切断経路に沿って移動するときに前記第１の切断ヘッドが前記押出し物を切断しないように構成される、第１の切断ヘッドと、
前記押出し物がそこに沿って移動する切断経路に対して、第３の位置と第４の位置との間で調節可能な第２の切断ヘッドであって、前記第３の位置は、前記押出し物が前記切断経路に沿って移動するときに前記第２の切断ヘッドにより少なくとも前記押出し物が切断されるように構成され、前記第４の位置は、前記押出し物が切断経路に沿って移動するときに前記第２の切断ヘッドが前記押出し物を切断しないように構成される、第２の切断ヘッドと
を含む、カッター。
【請求項２３】
前記第１の切断ヘッドが、
１つ又は複数の切断ブレードを間隔を空けて配置させて、所望の幅の１つ又は複数の細片を生成するように構成された複数のブロック又はディスク
を更に含む、請求項２２に記載のカッター。
【請求項２４】
前記第３の位置における前記第２の切断ヘッドが、前記第１の位置における前記第１の切断ヘッドによって切断された位置とは異なる位置において前記押出し物を切断するように構成されている、請求項２２に記載のカッター。
【請求項２５】
半透明パネルを間隔を空けて組み立て、絶縁パネルアセンブリを形成するための、スペーサーアセンブリであって、
柔軟な弾性押出し物の細片と、
前記押出し物の片側に固着された防湿材と
を含み、
前記防湿材は、波形シート材料として形成され且つ前記押出し物の片側に順応する、スペーサーアセンブリ。
【請求項２６】
前記波形シート材料が、金属を更に含む、請求項２５に記載のスペーサーアセンブリ。
【請求項２７】
前記波形シート材料が、ステンレス鋼を更に含む、請求項２６に記載のスペーサーアセンブリ。
【請求項２８】
前記波形シート材料の端部が、前記押出し物の対応する端部から延び、且つ前記波形シート材料の対向する端部上に重ねられ、それに固定可能である、請求項２５に記載のスペーサーアセンブリ。
【請求項２９】
間隔を空けて配置された半透明パネル同士の間に前記押出し物を固定するための、前記押出し物の２つの対向する側に付着された接着剤
を更に含む、請求項２５に記載のスペーサーアセンブリ。
【請求項３０】
前記接着剤が、ブチル材料で構成されている、請求項２９に記載のスペーサーアセンブリ。
【請求項３１】
前記接着剤が、アクリル材料で構成されている、請求項２９に記載のスペーサーアセンブリ。
【請求項３２】
前記接着剤が、剥離カバーを備えた接着性テープを更に含む、請求項２９に記載のスペーサーアセンブリ。
【請求項３３】
１種又は複数のジ−又はポリイソシアネートと１種又は複数のジ−又はポリオールとの反応生成物であって、１種又は複数のジ−又はポリイソシアネートの量対１種又は複数のジ−又はポリオールの量の比が、１種又は複数のジ−又はポリイソシアネートと１種又は複数のジ−又はポリオールとを合わせた重量に基づいて、１：３から１：４の範囲である反応生成物と、
乾燥剤と、
任意選択で、１種若しくは複数の可塑剤、１種若しくは複数のＵＶ吸収剤及び／若しくは遮断剤、１種若しくは複数の接着促進剤、１種若しくは複数の顔料、又はそれらの組合せと
を含む、ポリウレタン押出し物。
【請求項３４】
前記乾燥剤が、前記ポリウレタン押出し物の総重量に基づいて、約３０重量％から約６５重量％の量で前記ポリウレタン押出し物に存在する、請求項３３に記載のポリウレタン押出し物。
【請求項３５】
前記乾燥剤が、３Åモレキュラーシーブ若しくは酸化カルシウム、又はそれらの組合せを含む、請求項３３に記載のポリウレタン押出し物。